(57)【要約】【課題】  本体枠に設置される遊技盤等の遊技部材を大型化させることが可能な遊技機を提供する。 【解決手段】  上皿１４内の遊技球が充満したときの余剰遊技球を下皿１５に導出するオ−バ−フロ−通路６０が、窓枠１２の前面側に設けられているため、例えば、通常、オ−バ−フロ−通路６０が設けられている本体枠の部分に、遊技盤１６を延設することも可能である。この場合、遊技盤１６を大型化させることが可能となるため、同遊技盤１６に大型の液晶表示器を設置した場合であっても、遊技球の落下経路を広く確保することか可能となる。【選択図】図１
2008221017.tif 000002
【特許請求の範囲】
【請求項１】
遊技部材が設置される本体枠と、同本体枠の背面側に設置され、遊技に関する各種の動
作を制御する制御基板が設置される機構板と、同機構板の背面側に設置され、遊技球の払
い出しを行う払出装置と、上記本体枠の前面側に同本体枠に対して開閉可能に取り付けら
れた窓枠と、同窓枠の前面側に設置され、上記払出装置から払い出され、所定の通路を通
過した遊技球を貯留する上皿と、同上皿の下側に設けられた下皿とを具備する遊技機にお
いて、
上記上皿に貯留された遊技球が充満した際に、余剰遊技球を上記下皿に導出させるため
のオ−バ−フロ−通路が、上記窓枠の前面側に設けられていることを特徴とする遊技機。
【発明の詳細な説明】
【技術分野】
【０００１】
本発明は、パチンコ遊技機等の遊技機に関する。
【背景技術】
【０００２】
従来、この種の遊技機として、外部装置から供給される遊技球を貯留するタンク、およ
び、遊技球の払出装置が設けられ、払出装置からの遊技球を窓枠の前面側に設置された上
皿に供給するようにしたものが知られている。（例えば、特許文献１参照）。
【０００３】
かかる構成によれば、タンクに貯留された遊技球のうち指定された数量だけを、払出装
置により払い出して、上記上皿に供給することが可能であった。上皿に供給された遊技球
は遊技球の発射装置に案内され、同発射装置により遊技盤面上方に向けて発射される。
【特許文献１】特開２００４−０７３７１９号公報
【発明の開示】
【発明が解決しようとする課題】
【０００４】
ところで、払出装置から遊技球が供給される上皿において、遊技球が充満した場合には
、通常、上記上皿の下側に設置された下皿に導出されるのであるが、従来の遊技機におい
ては、この上皿の遊技球を下皿に導出するオ−バ−フロ−通路は、遊技盤等の遊技部材が
設置される本体枠の下部に形成されている。このため、上記オ−バ−フロ−通路が形成さ
れている分、上記本体枠に設置される遊技盤等の大きさが規制されてしまう。
【０００５】
近時、上記遊技盤面に設置される液晶表示器が大型化し、大きい表示画面において迫力
ある演出画像が表示されるようになってきている。しかし、遊技盤面の液晶表示器を大型
化してしまうと、遊技盤面における遊技球の落下する領域が小さくなってしまい、落下す
る遊技球の動きを楽しむという遊技機本来の面白みが喪失してしまうという問題が発生し
てしまう。そのため、設置する遊技盤を大型化し、遊技球の通過領域を広くすることがで
きることが望まれているが、上述したように、上記オ−バ−フロ−通路が本体枠に形成さ
れていることから、遊技盤の大型化が制限されてしまう。
【０００６】
本発明は、上記課題にかんがみてなされたものであり、本体枠に設置される遊技盤等の
遊技部材を大型化させることが可能な遊技機の提供を目的とする。
【課題を解決するための手段】
【０００７】
上記目的を達成するため、請求項1 にかかる発明では、遊技部材が設置される本体枠と
、同本体枠の背面側に設置され、遊技に関する各種の動作を制御する制御基板が設置され
る機構板と、同機構板の背面側に設置され、遊技球の払い出しを行う払出装置と、上記本
体枠の前面側に同本体枠に対して開閉可能に取り付けられる窓枠と、同窓枠の前面側に設
置され、上記払出装置から払い出され、所定の通路を通過した遊技球を貯留する上皿と、
同上皿の下側に設けられた下皿とを具備する遊技機において、上記上皿とに貯留された遊
技球が充満した際に、余剰遊技球を上記下皿に導出させるためのオ−バ−フロ−通路が、
上記窓枠の前面側に設けられている構成としてある。
【０００８】
上記のように構成した請求項１にかかる発明において、遊技機は、遊技部材が設置され
る本体枠と、同本体枠の背面側に設置され、遊技に関する各種の動作を制御する制御基板
が設置される機構板と、同機構板の背面側に設置され、遊技球の払い出しを行う払出装置
と、上記本体枠の前面側に同本体枠に対して開閉可能に取り付けられた窓枠と、同窓枠の
前面側に設置され、上記払出装置から払い出される遊技球を貯留する上皿と、同上皿の下
側に設けられた下皿とを具備している。上記本体枠に設置される遊技部材は、遊技機がパ
チンコ遊技機である場合には、障害釘や、液晶表示器や、入賞口等の各種の役物がその盤
面に設置される遊技盤等が該当し、遊技機が、遊技領域において回転するドラムを具備し
、所定の操作に応じて回転するドラムの停止を行って遊技を進行させる所謂パチロットで
ある場合には、本体枠に設置される上記ドラムが該当する。
【０００９】
そして、請求項１の発明にかかる遊技機では、上記上皿に貯留された遊技球が充満した
際に、余剰遊技球を上記下皿に導出させるためのオ−バ−フロ−通路が、上記窓枠の前面
側に設けられている。すなわち、従来の遊技機において、本体枠に形成される上記オ−バ
−フロ−通路が、窓枠の前面側に設けられているのである。このように構成することによ
り、従来の遊技機において、本体枠の上記オ−バ−フロ−通路が設けられている部分に、
遊技盤等の遊技部材を延設することが可能となる。その結果、遊技盤等の遊技部材を大型
化させることが可能となり、大型の液晶表示器を採用した場合であっても、遊技球の落下
領域を広く確保することが可能となる。
【００１０】
手段１
手段１にかかる発明は、上記請求項１に記載した発明において、
上記オ−バ−フロ−通路は、一部または全部が透明である構成としてある。
【００１１】
すなわち、オ−バ−フロ−通路の一部または全部を透明とすることにより、同オ−バ−
フロ−通路を通過する遊技球を前方より視認することが可能となる。このオ−バ−フロ−
通路を介して遊技球が下皿に供給されるのは、通常、大当たり遊技中等、大量の遊技球が
払い出される場合であり、このような場合にオ−バ−フロ−通路内を通過する遊技球を視
認することが可能であると、同遊技球による装飾効果に加えて、遊技球が払い出されるこ
とに対する達成感を強く享受することが可能となる。
【００１２】
手段２
手段２にかかる発明は、上記請求項１または上記手段１に記載した発明において、
上記オ−バ−フロ−通路は、上記上皿および上記下皿の側方であって、発射ハンドルの
反対側に設けられている構成としてある。
【００１３】
上皿に充満した遊技球をオ−バ−フロ−通路により下皿に導出する場合、同オ−バ−フ
ロ−通路が上皿および下皿の前面側に設置されていると、遊技者により下皿に貯留されて
いる遊技球を貯留箱（ドル箱）に移す際に邪魔になってしまう。また、脚を組んで遊技を
行う遊技者にとっては、このオ−バ−フロ−通路に脚が当たってしまう虞もあり、この場
合、オ−バ−フロ−通路の破損の原因になってしまう。したがって、上記オ−バ−フロ−
通路は、上皿および下皿の側方に設置し、遊技者による上皿または下皿の操作の邪魔にな
らないようにすることが望ましい。また、発射ハンドルの設けられている側にオ−バ−フ
ロ−通路を設けると、遊技者によるハンドル操作の邪魔になるため、上記上皿および下皿
の側方であって、且つ、発射ハンドルの反対側に上記オ−バ−フロ−通路が設置されてい
ることが望ましい。
【００１４】
手段３
手段３にかかる発明は、上記請求項１、上記手段１または上記手段２に記載した発明に
おいて、
上記窓枠の前面側に設置され、上記払出装置から払い出された遊技球を上記上皿に供給
するための前面通路を具備する構成としてある。
【００１５】
すなわち、払出装置から払い出された遊技球を皿貯留部に供給するための通路が遊技機
の前面側に配置されるため、遊技機の背面側のスペ−スを広く確保することが可能となる
。
【００１６】
手段４
手段４にかかる発明は、上記請求項１または上記手段１〜手段３のいずれかに記載した
発明において、
上記オ−バ−フロ−通路への遊技球の流入を規制する規制部が設けられ、
上記規制部は、所定の操作に応じて開放状態となり、同開放状態となったときに遊技球
のオ−バ−フロ−通路への流入が可能となる構成としてある。
【００１７】
すなわち、遊技者の操作に応じて、オ−バ−フロ−通路を開放または閉鎖状態とするこ
とが可能となり、上皿に充満した遊技球を所望のタイミングで下皿に導出させることが可
能となる。
【００１８】
手段５
手段５にかかる発明は、上記請求項１または手段１〜手段４のいずれかに記載した発明
において、上記遊技機は本体枠における遊技領域にてドラムが回転させられるパチロット
である構成としてある。
【００１９】
すなわち、本発明をパチロットにも適用することができる。なお、パチロットは、メダ
ルの代わりに一定数のパチンコ球を使用して絵合わせを行うものでありパチンコ機とスロ
ットマシンの両方の特徴を備えた遊技機である。このようなパチロットも、遊技球の払い
出しと発射が行われるため、本発明を適用することができる。パチンコ遊技機に本発明を
適用した場合、オ−バ−フロ−通路が窓枠の前面側に設けられることにより、本体枠に設
置される上記遊技部材としてのドラムを大型化させることが可能となる。
【発明の効果】
【００２０】
以上説明したように、請求項１にかかる発明によれば、遊技盤等の遊技部材を大型化さ
せることが可能となり、大型の液晶表示器を採用した場合であっても、遊技球の落下領域
を広く確保することが可能となる。
【００２１】
手段１にかかる発明によれば、オ−バ−フロ−通路内を通過する遊技球による装飾効果
が得られるとともに、遊技球が払い出されることに対する達成感を強く享受することが可
能となる。
【００２２】
手段２にかかる発明によれば、オ−バ−フロ−通路が側方に設けられることにより、遊
技者による上皿または下皿の操作の邪魔にならない。
【００２３】
手段３にかかる発明によれば、遊技機の背面側のスペ−スを広く確保することが可能と
なる。
【００２４】
手段４にかかる発明によれば、上皿に充満した遊技球を所望のタイミングで下皿に導出
させることが可能となる。
【００２５】
手段５にかかる発明によれば、オ−バ−フロ−通路が窓枠の前面側に設けられることに
より、本体枠に設置される上記遊技部材としてのドラムを大型化させることが可能となる
。
【発明を実施するための最良の形態】
【００２６】
ここでは、下記の順序に従って本発明の実施形態について説明する。
（１）第一の実施形態：
（２）第二の実施形態： 
（３）各種変形例：
（４）まとめ：
（１）第一の実施形態：
図１は、本発明の第一の実施形態にかかる遊技機（パチンコ遊技機）を斜めから見て示
している。なお、本実施形態においては、遊技盤上に各種の役物が設置されるパチンコ遊
技機を本発明に適用する場合について説明するが、本発明の遊技機はこれに限定されるも
のではなく、遊技領域において回転するドラムを具備し、所定の操作に応じて回転するド
ラムの停止を行って遊技を進行させる所謂パチロットであってもよい。
【００２７】
同図において、パチンコ遊技機１０は、木材で矩形枠状に形成された外枠１１を有して
おり、同外枠１１をホ−ル等に固定することにより正立した状態で設置される。外枠１１
には、合成樹脂等で形成された矩形枠状の本体枠２４が嵌め込まれている。また、外枠１
１の前面側には、窓枠１２が本体枠２４に対して回動可能に枢支されている。この本体枠
２４は、窓枠１２が閉じた状態で、窓枠１２の背面側が略密着している状態となっている
。窓枠１２の略中央部には、透明保持枠としてのガラス枠１３が枢支されている。ガラス
枠１３は、略中央部に円形の窓穴１３ｄを有しており、この窓穴１３ｄから透明板として
のガラス１３ａが露出するように保持されている。
【００２８】
カラス１３ａは透視可能であり、ガラス１３ａの内側を視認することが可能となってい
る。そして、前面側からガラス１３ａを透視することにより、本体枠２４に保持された遊
技盤１６の盤面に設けられた各種の役物（入賞口、始動口、大入賞口、液晶表示器等）の
様子を視認することが可能となっている。なお、遊技盤１６におけるガラス１３ａを介し
て視認可能な領域が遊技領域である。発射装置１８から発射された遊技球は、この遊技領
域内を落下する。遊技者は、発射装置１８から発射された遊技球が遊技領域内を落下する
様子や、同遊技球が各種の入賞口に入る様子や、液晶表示器にて表示される識別情報の可
変表示や各種の演出画像を見ながら遊技を楽しむことができる。
【００２９】
ガラス枠１３の下方には、上皿１４が前面側に向かって突設されており、さらにその下
方には、下皿１５が前面側に向かって突設されている。なお、この上皿１４および下皿１
５は、皿貯留部を構成するものである。上皿１４および下皿１５は、所定の深みを有する
皿状に形成されているため、遊技球を貯留しておくことができる。
【００３０】
なお、本発明の遊技機は、この実施形態のように上皿および下皿の両方を具備している
必要はなく、例えば、上皿のみを具備していてもよい。上皿のみを具備している場合、後
述するオ−バ−フロ−通路６０は、例えば、上皿１４上にてオ−バ−フロ−した遊技球を
、上皿１４の下側に配置される遊技球の貯留箱（所謂ドル箱）に導出するように形成され
ていてもよい。
【００３１】
ガラス枠１３の前面側の左端部には、パチンコ遊技機１０の背面側に設置された後述す
る払出装置１５（図示せず）から払い出された遊技球を上皿１４に供給するための前面通
路３０が設置されている。この前面通路３０は、ガラス枠１３の左端上部から上皿１４の
直上まで垂下するとともに、そこから上皿１４における遊技球を貯留するための窪み部ま
で直角に折れ曲がるように設けられている。そして、遊技球の排出口３０ａから排出され
た遊技球は、上皿１４に貯留される。上述した払出装置１５から払い出された遊技球は、
パチンコ遊技機１０の筐体を前後に貫通する貫通通路（図示せず）内を通過してガラス枠
１３の前面まで導出された後、前面通路３０内を落下して上皿１４に供給される。この前
面通路３０は、全部が透明部材で構成されており、内部を通過する遊技球を視認可能であ
るとともに、パチンコ遊技機１０の筐体内を、前面通路３０に向かって滑落してくる遊技
球をも視認可能となっている。このようにすることにより、前面通路３０の内部を通過す
る遊技球による装飾効果を奏するとともに、遊技球が払い出されたことに対する達成感を
強く享受することが可能となる。また、払出装置１５から払い出された遊技球の通路（払
出通路）を前面側に設けることにより、本体部の背面側のスペ−スを広く確保することが
可能となり、同スペ−スを有効利用することができる。
【００３２】
本実施形態では、この前面通路３０がガラス枠１３に形成されている場合について説明
したが、この前面通路３０の設置場所としては、窓枠１２の前面側であれば特に限定され
るものではない。窓枠１２の前面側に設置されるのであれば、本体部の背面側のスペ−ス
を広く確保することができるという効果を享受することができるからである。さらに、図
１では、払出装置から上皿１４または下皿１５に遊技球を供給するための払出通路の全部
が前面通路３０となっているが、本発明においては、払出通路の一部のみを前面通路３０
とするようにしてもよい。さらにまた、図１では、前面通路３０の全部が透明部材により
構成されている場合について説明したが、一部のみが透明になるようにしてもよく、例え
ば、パチンコ遊技機１０の筐体内を貫通する貫通通路内を滑落してくる遊技球のみを視認
可能なように、前面通路３０における同貫通通路の前面側のみを透明にしてもよい。
【００３３】
窓枠１２の前面側に突出して設けられた上皿１４における前面通路３０側の側方には、
上皿１４の遊技球が充満したときの余剰遊技球を下皿１５に導出するためのオ−バ−フロ
−通路６０が設けられている。このオ−バ−フロ−通路６０は、上皿１４の前面通路３０
側の側部に形成された開口６０ａ近傍から下皿１５の直上まで垂下するとともに、そこか
ら下皿１５における遊技球を貯留するための窪み部まで直角に折れ曲がるように設けられ
ている。このオ−バ−フロ−通路６０は、透明部材で構成されており、内部を通過する遊
技球を視認可能となっている。このようにすることにより、通過する遊技球による装飾効
果を得ることができるとともに、上皿１４の遊技球が充満して、遊技球がオ−バ−フロ−
した際に、大量の遊技球を獲得したことに対する達成感を強く享受することが可能となる
。
【００３４】
第一の実施形態にかかるパチンコ遊技機１０では、オ−バ−フロ−通路６０が、上皿１
４の側方であって、発射装置１８の反対側に設置されている。このオ−バ−フロ−通路６
０が、上皿１４の側方であって、発射装置１８側に設置されていると、遊技者による発射
装置１８の操作の邪魔になる。また、オ−バ−フロ−通路６０が、上皿１４の前面側に設
置されていると、遊技者により下皿１５に貯留されている遊技球の取り扱いの邪魔になる
。したがって、オ−バ−フロ−通路６０が設けられる位置は、図１に示したように、上皿
１４の側方であって、発射装置１８の反対側であることが望ましい。
【００３５】
図２は、第一の実施形態にかかるパチンコ遊技機を背面側から見て示している。同図に
おいて、略矩形状に形成された外枠１１の内側に本体枠２４が嵌め込まれており、本体枠
２４は、外枠１１に対して回動可能とされている。また、図２には示していないが、本体
枠２４の内側に形成された開口には、矩形板状の木製の遊技盤１６が嵌め込まれている。
【００３６】
一方、本体枠２４の背面側（図２においては紙面手前側）には、本体枠２４に嵌め込ま
れる遊技盤１６を背面側から覆うように機構板１７が設けられている。この機構板１７は
、本体枠２４に対して回動可能に枢支されている。機構板１７に対して本体枠２４が閉じ
られているときには、本体枠２４は、機構板１７の前面側に略密接した状態となる。
【００３７】
機構板１７の背面側には、パチンコ遊技機１０における各種の動作を制御する各種の基
板が取り付けられるとともに、機構板１７の背面側の上部には、遊技球を貯留しておく上
記供給部としてのタンク１４も取り付けられている。タンク１４に貯留された遊技球は、
下方に流下させられ、後述する球抜き装置２０、払出装置１５を通過した後、パチンコ遊
技機１０の筐体を前後に貫通する貫通通路（図示せず）を通過し、その後、図１に示した
前面通路３０内を落下して上皿１４に供給される。上皿１４に供給された遊技球は、順次
、遊技球の発射装置１８（図１参照）に案内される。タンク１４から発射装置１８に案内
されるまでの遊技球の経路に、払出装置１５が備えられることにより、遊技球の計数を行
いつつ、意図した数だけ遊技球を上皿１４に供給することが可能となっている。
【００３８】
また、払出装置１５の上流には、タンク１４とタンクレ−ル１４ａを介して接続される
球抜き装置２０が備えられている。球抜き装置２０は、タンク１４からの遊技球の流路に
おける払出装置１５の手前側に設置され、タンク１４からの遊技球を払出装置１５に導出
する経路を形成するか、または、パチンコ遊技機１０の外部へ導出する経路を形成するか
について、切換レバ−２５の操作により切り換えることが可能となっている。すなわち、
この球抜き装置２０により、タンク１４からの遊技球を払出装置１５またはパチンコ遊技
機１０の外部に選択的に導くことが可能となるのである。このようにすることにより、払
出装置１５等が故障した場合等に、切換レバ−２５を操作して遊技球をパチンコ遊技機１
０の外部へ導出させることにより、払出装置１５等の修理点検作業の邪魔となる遊技球を
外部に排出することができる。
【００３９】
図３は、図１に示した上皿１４を拡大して示す上面図であり、図４は、図３のＡ−Ａ線
断面図であり、図５は、図３のＢ−Ｂ線断面図である。図３に示すように、上皿１４にお
ける遊技球の貯留部分は、発射装置１８側に向かって細くなっており、最も細い部分は、
１個の遊技球が通過可能な幅となっている。したがって、発射装置１８へは、遊技球が１
個ずつ順次、供給されるようになっている。上皿１４における発射装置１８と反対側側部
の上方には、前面通路３０の排出口３０ａが配置されており、払出装置１５（図２参照）
から払い出された遊技球は、上皿１４に供給されることとなる。また、上皿１４における
発射装置１８と反対側の側壁部であって、図中における下端部（図１においては、前面側
端部）には、上記側壁部を切欠いた開口６０ａが形成されており、上皿１４内の遊技球が
充満したときに、開口６０ａからオ−バ−フロ−通路６０内に遊技球が導出されるように
なっている。
【００４０】
図４に示すように、上皿１４における遊技球の長手方向の通過面は、発射装置１８側の
向かって所定角度αだけ下方に傾斜した傾斜面１４ａと、発射装置１８と反対側（前面通
路３０側）に向かって所定角度βだけ下方に傾斜した傾斜面１４ｂとからなっており、傾
斜面１４ａと傾斜面１４ｂとの境界部分は、上皿１４の前面通路３０側の端部の近傍に位
置している。このため、前面通路３０から排出された遊技球は、発射装置１８側へ進行し
て順に貯留されていくが、上記境界部分まで遊技球が充満すると、その後は、発射装置１
８とは反対側に進行する。
【００４１】
また、図５に示すように、上皿１４における遊技球の短手方向の通過面は、窓枠１２側
に向かって所定角度γだけ下方に傾斜した傾斜面１４ｃと、窓枠１２の前面側に向かって
所定角度δだけ下方に傾斜した傾斜面１４ｄとからなっており、傾斜面１４ｃと傾斜面１
４ｄとの境界部分は、上皿１４の前面側の端部の近傍に位置している。このため、遊技球
は、窓枠１２側へ進行して順に貯留されていくが、上記境界部分まで遊技球が充満すると
、その後は、窓枠１２の前面側に進行して貯留される。
【００４２】
図６は、図３に示した上皿１４における遊技球の進行方向を示す図である。同図におい
て、領域Ａは、図４に示した傾斜面１４ａと、図５に示した傾斜面１４ｃとの重複領域で
あり、発射装置１８側（図中右側）に向かって下方に傾斜しているとともに窓枠１２側（
図中、上側）に向かって下方に傾斜している領域である。また、領域Ｂは、図４に示した
傾斜面１４ａと、図４に示した傾斜面１４ｄとの重複領域であり、発射装置１８側に向か
って下方に傾斜しているとともに窓枠１２の前面側（図中下側）に向かって下方に傾斜し
ている領域である。さらに、領域Ｃは、図４に示した傾斜面１４ｂと、図５に示した傾斜
面１４ｃとの重複領域であり、発射装置１８側（図中右側）に向かって下方に傾斜してい
るとともに窓枠１２側に向かって下方に傾斜している領域である。さらにまた、領域Ｄは
、図４に示した傾斜面１４ｂと、図５に示した傾斜面１４ｄとの重複領域であり、発射装
置と反対側に向かって下方に傾斜しているとともに窓枠１２の前面側に向かって下方に傾
斜している領域である。そのため、図６中、各領域Ａ〜Ｄにおいて、白抜きの矢印にて示
す方向に遊技球が進行することとなる。
【００４３】
図３〜図６に示したような上皿１４の遊技球の通過面の傾斜構造とすることにより、前
面通路３０から排出された遊技球は、まず、Ａ領域に優先的に順次貯留されていくことに
なるが、Ａ領域の遊技球が充満すると、次に、Ｂ領域またはＣ領域に順次遊技球が貯留さ
れていく。そして、Ｂ領域およびＣ領域の遊技球が充満すると、最後にＤ領域に遊技球が
流入するが、この領域Ｄは、上述したようにオ−バ−フロ−通路６０と連通する開口６０
ａに向かって下方に傾斜しているため、Ｄ領域に流入した遊技球は、開口６０ａを介して
オ−バ−フロ−通路６０内に導出されることとなる。したがって、第一の実施形態にかか
る上皿１４では、領域Ａ〜Ｃに貯留されている遊技球が充満し、上皿１４全体として遊技
球が略充満したときに、遊技球が領域Ｄに流入してオ−バ−フロ−通路６０に導出される
ように構成されているのである。
【００４４】
以上、説明したように、第一の実施形態にかかるパチンコ遊技機１０では、上皿１４内
の遊技球が充満したときの余剰遊技球を下皿１５に導出するオ−バ−フロ−通路６０が、
窓枠１２の前面側に設けられているため、例えば、通常、オ−バ−フロ−通路が設けられ
ている本体枠の部分に、遊技盤１６を延設することも可能である。この場合、遊技盤１６
を大型化させることが可能となるため、同遊技盤１６に大型の液晶表示器を設置した場合
であっても、遊技球の落下経路を広く確保することか可能となる。
【００４５】
第二の実施形態：
以下に説明する第二の実施形態においては、オ−バ−フロ−通路への遊技球の流入を規
制する規制部が設けられている態様について説明する。なお、以下の図７に示した部分以
外のパチンコ遊技機における各装置や各部材については、第一の実施形態と同様であるの
でその説明を省略する。
【００４６】
図７は、第二の実施形態にかかるパチンコ遊技機が具備する上皿の側面図である。同図
において、上皿１１４の前面通路（図示せず）側の側部に形成された開口１６０ａは、上
皿１１４内に遊技球が充満したときに、余剰遊技球を図示しないオ−バ−フロ−通路へと
導出するための開口である。上述した第一の実施形態では、上皿１４内の遊技球が所定量
になると、自動的にオ−バ−フロ−通路６０に遊技球が導出される場合について説明した
が、第二の実施形態にかかる上皿１１４には、開口１６０ａを開放／閉鎖状態とする規制
部１７２が一体形成されたシャッタ１７０を具備している。
【００４７】
シャッタ１７０は、上述した規制部１７２と、つまみ部１７１とが一体形成されて成り
、遊技者等によりつまみ部１７１を左右にスライド移動させることにより、開口１６０ａ
を開放／閉鎖状態とし、これにより、オ−バ−フロ−通路を開放／閉鎖状態とすることが
可能となる。
【００４８】
このように遊技者等の操作により、オ−バ−フロ−通路を開放／閉鎖状態とすることに
より、所望のタイミングで上皿１１４に貯留されている遊技球を、オ−バ−フロ−通路を
介して下皿（図示せず）に導出することが可能となるのである。
【００４９】
（３）各種変形例：
上述した第一、第二の実施形態においては、本体枠に遊技部材としての遊技盤が嵌め込
まれたパチンコ遊技機を本発明の遊技機に適用した場合について説明したが、本発明にお
いては、パチンコ遊技機のほか、遊技領域において回転するドラムが本体枠に設置され、
所定の操作に応じて上記ドラムの回転を停止させて遊技を進行させる所謂パチロットに本
発明を適用することも可能である。この場合、オ−バ−フロ−通路を窓枠の前面側に設け
ることにより、本体枠に設置するドラムを大型化させることが可能となり、より迫力ある
遊技を提供することが可能となる。
【００５０】
（４）まとめ：
以上説明したように本発明によれば、上皿１４内の遊技球が充満したときの余剰遊技球
を下皿１５に導出するオ−バ−フロ−通路６０が、窓枠１２の前面側に設けられているた
め、例えば、通常、オ−バ−フロ−通路６０が設けられている本体枠の部分に、遊技盤１
６を延設することも可能である。この場合、遊技盤１６を大型化させることが可能となる
ため、同遊技盤１６に大型の液晶表示器を設置した場合であっても、遊技球の落下経路を
広く確保することか可能となる。
【図面の簡単な説明】
【００５１】
【図１】第一の実施形態にかかるパチンコ遊技機の斜視図である。
【図２】第一の実施形態にかかるパチンコ遊技機の背面図である。
【図３】図１、図２に示したパチンコ遊技機における上皿を拡大して示した上面図である。
【図４】図３のＡ−Ａ線断面図である。
【図５】図３のＢ−Ｂ線断面図である。
【図６】上皿における遊技球の進行方向を示す図である。
【図７】第二の実施形態にかかるパチンコ遊技機が具備する上皿の側面図である。
【符号の説明】
【００５２】
１０、１１０…パチンコ遊技機
１１…外枠
１２…窓枠
１３…ガラス枠
１３ａ…ガラス
１４、１１４…上皿
１４ａ〜１４ｄ…傾斜面
１５…下皿
１７…機構板
１８…発射装置
１４…タンク
１５…払出装置
２０…球抜き装置
２４…本体枠
３０…前面通路
３０ａ…排出口
６０…オ−バ−フロ−通路
６０ａ、１６０ａ…開口
１７０…シャッタ
１７１…つまみ部
１７２…規制部
【図１】
2008221017.tif 000003
【図２】
2008221017.tif 000004
【図３】
2008221017.tif 000005
【図４】
2008221017.tif 000006
【図５】
2008221017.tif 000007
【図６】
2008221017.tif 000008
【図７】
2008221017.tif 000009